(57)【要約】【課題】太陽光発電装置１１に係る構成部材の占有面積を考慮した発電効率を改善する。【解決手段】略鉛直に配されて太陽光を受ける第１受光面１４を有する第１太陽電池パネル１３と、第１受光面１４と交わるように配されて太陽光を受ける第２受光面１６を有する第２太陽電池パネル１５と、第１受光面１４に対する第２受光面１６の傾斜角度を調整する角度調整機構部１７と、を備え、第１および第２受光面１４，１６のそれぞれは、太陽光発電を行う際に、他方の受光面からの太陽光の反射光を受ける部分を有する。第１および第２受光面１４，１６のそれぞれでは、太陽光の直接光による発電量に加えて、太陽光の反射光による発電量が付加的に生じる。【選択図】図１Ａ
2013243225.tif 000002
【特許請求の範囲】
【請求項１】
略鉛直に配されて太陽光を受ける第１受光面を有する第１太陽電池パネルと、
前記第１受光面と交わるように配されて太陽光を受ける第２受光面を有する第２太陽電池パネルと、
前記第１受光面に対する前記第２受光面の傾斜角度を調整する角度調整機構部と、を備え、
前記第１および第２受光面のそれぞれは、太陽光発電を行う際に、他方の受光面からの太陽光の反射光を受ける部分を有する、
ことを特徴とする太陽光発電装置。
【請求項２】
請求項１に記載の太陽光発電装置であって、
前記角度調整機構部による前記傾斜角度の制御を行う角度制御部をさらに備え、
前記角度制御部は、前記第１および第２受光面のそれぞれが他方の受光面からの太陽光の反射光を受ける部分に係る受光面積が広くなるように前記傾斜角度の制御を行う、
ことを特徴とする太陽光発電装置。
【請求項３】
請求項２に記載の太陽光発電装置であって、
太陽の高度に係る情報に対応付けて、前記受光面積が広くなる前記傾斜角度の情報を記憶する角度情報記憶部をさらに備え、
前記角度制御部は、前記角度情報記憶部の記憶内容と、前記太陽の高度に係る情報とに基づいて、前記受光面積が広くなる前記傾斜角度の情報を読み出して当該傾斜角度の制御を行う、
ことを特徴とする太陽光発電装置。
【発明の詳細な説明】
【技術分野】
【０００１】
本発明は、太陽光エネルギーを電気エネルギーに変換し発電する太陽光発電装置に関する。
【背景技術】
【０００２】
再生可能エネルギーである太陽光エネルギーを電気エネルギーに変換し発電する太陽光発電は、地球環境の保全に貢献する次世代のエネルギー源として注目されている。太陽光発電では、効率（単位面積あたりの発電量）を高めるための様々な試みがなされている。
【０００３】
太陽光発電の効率を高める技術として、特許文献１が知られている。特許文献１には、鉛直軸に対して所定の角度を有し、受光面が下向きに設置されている太陽電池アレイと、太陽光を反射し、反射光を前記受光面に対して出射する反射鏡とを有する太陽光発電装置が記載されている。
【先行技術文献】
【特許文献】
【０００４】
【特許文献１】特開２００６−２６９５２３号公報
【発明の概要】
【発明が解決しようとする課題】
【０００５】
しかしながら、特許文献１に係る太陽光発電装置では、発電に直接的に寄与する太陽電池の部分と、発電に補助的に寄与する反射鏡の部分とを含んで装置を構成しているため、太陽光発電装置に係る構成部材の占有面積を考慮した発電効率の観点では改善の余地があった。
【０００６】
本発明は、前記の実情に鑑みてなされたものであり、太陽光発電装置に係る構成部材の占有面積を考慮した発電効率を改善可能な太陽光発電装置を提供することを目的とする。
【課題を解決するための手段】
【０００７】
本発明に係る太陽光発電装置は、略鉛直に配されて太陽光を受ける第１受光面を有する第１太陽電池パネルと、前記第１受光面と交わるように配されて太陽光を受ける第２受光面を有する第２太陽電池パネルと、前記第１受光面に対する前記第２受光面の角度を調整する角度調整機構部と、を備え、前記第１および第２受光面のそれぞれは、太陽光発電を行う際に、他方の受光面からの太陽光の反射光を受ける部分を有する、ことを最も主要な特徴とする。
【発明の効果】
【０００８】
本発明によれば、太陽光発電装置に係る構成部材の占有面積を考慮した発電効率を改善することができる。
【図面の簡単な説明】
【０００９】
【図１Ａ】本発明の実施形態に係る太陽光発電装置の概要を表す全体構成図である。
【図１Ｂ】図１Ａに示す太陽光発電装置のうち、第１太陽電池パネルに対する第２太陽電池パネルの取付部を兼ねる角度調整機構部を表す外観斜視図である。
【図１Ｃ】第１太陽電池パネルに対する第２太陽電池パネルの傾斜角度を調整する様子を表す説明図である。
【図１Ｄ】第１太陽電池パネルに対する第２太陽電池パネルの傾斜角度を調整する様子を表す説明図である。
【図１Ｅ】第１太陽電池パネルに対する第２太陽電池パネルの傾斜角度を調整する様子を表す説明図である。
【図２】本発明の実施形態に係る太陽光発電装置の動作説明に供するフローチャート図である。
【図３Ａ】冬至時における本発明の実施形態に係る太陽光発電装置の動作説明に供する概念図である。
【図３Ｂ】冬至時における本発明の実施形態に係る太陽光発電装置の動作説明に供する概念図である。
【図４Ａ】春分・秋分時における本発明の実施形態に係る太陽光発電装置の動作説明に供する概念図である。
【図４Ｂ】春分・秋分時における本発明の実施形態に係る太陽光発電装置の動作説明に供する概念図である。
【図５】夏至時における本発明の実施形態に係る太陽光発電装置の動作説明に供する概念図である。
【図６】本発明の実施形態に係る太陽光発電装置を横方向三列に並べてシステム化した太陽光発電システムの全体構成図である。
【発明を実施するための形態】
【００１０】
以下、本発明の実施形態に係る太陽光発電装置について、図面を参照しながら詳細に説明する。
【００１１】
〔本発明の実施形態に係る太陽光発電装置１１の概要〕
はじめに、本発明の実施形態に係る太陽光発電装置１１の概要について、図１Ａ〜図１Ｅを参照して説明する。図１Ａは、本発明の実施形態に係る太陽光発電装置１１の概要を表す全体構成図である。図１Ｂは、図１Ａに示す太陽光発電装置１１のうち、第１太陽電池パネル１３に対する第２太陽電池パネル１５の取付部を兼ねる角度調整機構部１７を表す外観斜視図である。図１Ｃ〜図１Ｅは、第１太陽電池パネル１３に対する第２太陽電池パネル１５の傾斜角度を調整する様子を表す説明図である。
【００１２】
本発明の実施形態に係る太陽光発電装置１１は、図１Ａに示すように、全体として椅子型に形成されている。太陽光発電装置１１は、第１太陽電池パネル１３と、第２太陽電池パネル１５と、角度調整機構部１７と、コントローラ１９と、を備える。
【００１３】
第１太陽電池パネル１３は、図１Ａに示すように、略鉛直に配されて太陽光を受ける第１受光面１３を有する、片面受光型の太陽電池パネルである。第１太陽電池パネル１３は、一対の後側脚部２１ａ，２１ｂに挟まれて、大地から離間させた略鉛直状態で支持されている。第１太陽電池パネル１３は、複数の電池セル１４ａを整列させて構成される。図１Ａに示す例では、第１太陽電池パネル１３は、６行６列の電池セル１４ａを整列配置して構成されている。
【００１４】
第２太陽電池パネル１５は、図１Ａに示すように、第１受光面１４と交わるように配されて太陽光を受ける第２受光面１６を有する、片面受光型の太陽電池パネルである。第２太陽電池パネル１５は、第１太陽電池パネル１３と同様に、一対の前側脚部２３ａ，２３ｂ、および、一対の後側脚部２１ａ，２１ｂの長手方向における略中央に位置する一対の取付部２５ａ，２５ｂによって、大地から離間させた略水平状態で支持されている。
【００１５】
ただし、本発明に係る実施形態では、第２太陽電池パネル１５は、後記するように、第１太陽電池パネル１３に対する傾斜角度が可変となる構成を採用している。したがって、第２太陽電池パネル１５は、略水平状態の他、水平状態に対して傾斜した姿勢をとる場合がある。第２太陽電池パネル１５は、第１太陽電池パネル１３と同様に、複数の電池セル１６ａを整列させて構成される。図１Ａに示す例では、第２太陽電池パネル１５は、６行６列の電池セル１６ａを整列配置して構成されている。
【００１６】
全体として椅子型に形成される太陽光発電装置１１は、図１Ａに示すように、椅子の背もたれに相当する部材である第１太陽電池パネル１３の下方に、窓部１８を有する。この窓部１８を設けることにより、窓部１８を通して第２太陽電池パネル１５の上方に空気の流れを生じさせるようにしている。その結果、例えば、第２太陽電池パネル１５の第２受光面１６上に落ち葉などの異物が付着した場合であっても、かかる異物を空気の流れによって除去することができる。
【００１７】
角度調整機構部１７は、一対の前側脚部２３ａ，２３ｂ、および、一対の取付部２５ａ，２５ｂの連係によって、第１太陽電池パネル１３に対する第２太陽電池パネル１５の傾斜角度を調整する機能を有する。一対の取付部２５ａ，２５ｂは、図１Ｂに示すように、一対の後側脚部２１ａ，２１ｂの長手方向における略中央のそれぞれの側壁に、略Ｔ字形状の一対のブラケット２５ａ１，２５ｂ１を、例えば溶接によってそれぞれ固着してなる。
【００１８】
このうち、例えば、図１Ｂに示すブラケット２５ｂ１は、後側脚部２１ｂの側壁に沿って取り付けられる基端部２５ｂ１１と、基端部２５ｂ１１の長手方向における略中央から略直角に延びる延出部２５ｂ１２とからなる。延出部２５ｂ１２には、貫通孔２５ｂ１２ｈが空けられている。図１Ｂに示す貫通孔２５ｂ１２ｈに、頭部の肥大したピン２６が挿し込まれる。このピン２６の軸部が、第２太陽電池パネル１５の後側側壁に取り付けられる。これにより、第２太陽電池パネル１５は、図１Ｃに示すように、一対の取付部２５ａ，２５ｂに取り付けたピン２６に支持された状態で、その前側部分が上下方向に回動自在に構成されている。
【００１９】
一方、一対の前側脚部２３ａ，２３ｂは、図１Ｄおよび図１Ｅに示すように、伸縮機構２７ａ，２７ｂをそれぞれ有する。例えば、図１Ｄおよび図１Ｅに示す前側脚部２３ｂが有する伸縮機構２７ｂでは、下側の前側脚部２３ｂ１に対して上側の前側脚部２３ｂ２が伸縮自在に支持される。伸縮機構２７ｂは、例えば、下側の前側脚部２３ｂ１の側に回転自在に支持される不図示のピニオンギアと、上側の前側脚部２３ｂ２の側に長手方向に沿って取り付けられる不図示のラックギアとの組み合わせにより構成することができる。この構成は、伸縮機構２７ａも同じである。
【００２０】
一対の前側脚部２３ａ，２３ｂと、第２太陽電池パネル１５との接合部分には、リンク機構２８（例えば、図３Ａ参照）を設けることが好ましい。一対の前側脚部２３ａ，２３ｂをそれぞれ伸縮させると、前記の接合部分に歪みを生じる。そこで、前記の接合部分にリンク機構２８を設ける。これにより、前記の接合部分に生じる歪みを軽減または解消することができる。
【００２１】
前記のように構成される角度調整機構部１７によれば、一対の前側脚部２３ａ，２３ｂ、および、一対の取付部２５ａ，２５ｂの連係によって、第１太陽電池パネル１３に対する第２太陽電池パネル１５の傾斜角度を調整することができる。
【００２２】
コントローラ１９は、図１Ａに示すように、情報取得部３１と、高度算出部３３と、角度情報記憶部３５と、角度制御部３７と、を備える。
【００２３】
コントローラ１９は、不図示のＣＰＵ（Central processing Unit）、ＲＯＭ（Read Only Memory）、ＲＡＭ（Random Access Memory）、入出力回路（Ａ／Ｄ変換器およびＤ／Ａ変換器を含む）などを備えて構成される。ＣＰＵは、ＲＯＭに格納されたプログラムに従って、ＲＡＭを作業領域として用いて、情報取得部３１、高度算出部３３、および、角度制御部３７が有するそれぞれの機能を実現するように動作する。
【００２４】
情報取得部３１は、例えば、ＧＰＳ（Global Positioning System）情報、および、暦日情報を取得する機能を有する。ＧＰＳ情報は、太陽光発電装置１１の設置場所に係る緯度および経度の情報を含む。暦日情報としては、太陽光発電装置１１の運転当日の日時に係る情報を、例えばスケジューラなどから適宜取得すればよい。なお、太陽光発電装置１１の設置後において、ＧＰＳ情報は変わらない。そのため、太陽光発電装置１１の設置時において、ＧＰＳ情報を設定するように与えればよい。
【００２５】
高度算出部３３は、本発明の実施形態に係る太陽光発電装置１１の設置場所において、太陽光発電装置１１の運転当日の、太陽の高度を算出する機能を有する。具体的には、高度算出部３３は、情報取得部３１で取得されるＧＰＳ（Global Positioning System）情報、および、暦日情報に基づいて、時々刻々と変わる太陽の高度を算出する。
【００２６】
角度情報記憶部３５は、太陽の高度に係る情報に対応付けて、第１および第２受光面１４，１６のそれぞれが他方の受光面からの太陽光の反射光を受ける部分に係る受光面積が広くなる傾斜角度の情報を記憶する機能を有する。この傾斜角度の情報は、例えば、太陽の高度に係る情報のバリエーションに対応付けて、第１受光面１４に対する第２受光面１６の傾斜角度を変えていったときの、第１および第２受光面１４，１６のそれぞれが他方の受光面からの太陽光の反射光を受ける部分に係る受光面積を、実験的にまたは模擬的に求めることによって取得すればよい。
【００２７】
角度制御部３７は、角度情報記憶部３５の記憶内容と、太陽の高度に係る情報とに基づいて、前記の受光面積が広くなる傾斜角度の情報を読み出して当該傾斜角度の制御を行う機能を有する。具体的には、角度制御部３７は、前記のピニオンギアが出力軸に設けられた不図示のモータに、不図示のドライバを介して接続される。角度制御部３７が、ドライバ宛に角度制御信号を送ると、この角度制御信号に従って、ドライバがモータの出力軸を回転駆動する。これにより、モータの出力軸に設けられたピニオンギアが回転することによって伸縮機構２７ａ，２７ｂがそれぞれ作動する。このようにして、第１太陽電池パネル１３に対する第２太陽電池パネル１５の傾斜角度を調整することができる。
【００２８】
なお、“受光面積が広くなる傾斜角度の情報を読み出”すにあたり、いかなる基準をもって、“受光面積が広くなる”と取り扱うのか、が問題となる。この点について、本実施形態では、例えば、受光面積が所定値を超えており、かつ、最も受光面積が広くなる傾斜角度の情報を読み出す、構成を採用している。
【００２９】
このように構成すれば、角度制御部３７は、第１および第２受光面１４，１６のそれぞれが他方の受光面からの太陽光の反射光を受ける部分に係る受光面積が所定値を超えており、かつ、最も受光面積が広くなる傾斜角度の情報に従って傾斜角度の制御を行うため、太陽光の反射光による発電量の増加分が固定された比較例と比べて、太陽光発電装置１１に係る構成部材の占有面積を考慮した発電効率を改善することができる。
【００３０】
〔本発明の実施形態に係る太陽光発電装置１１の動作〕
次に、本発明の実施形態に係る太陽光発電装置１１の動作について、図２を参照して説明する。図２は、本発明の実施形態に係る太陽光発電装置１１の動作説明に供するフローチャート図である。
【００３１】
図２に示すステップＳ１１〜Ｓ１２において、情報取得部３１は、ＧＰＳ情報、および、暦日情報を取得する。
【００３２】
ステップＳ１３において、高度算出部３３は、情報取得部３１で取得したＧＰＳ情報および暦日情報に基づいて、太陽光発電装置１１の設置場所において、太陽光発電装置１１の運転当日の日時に係る太陽の高度を算出する。
【００３３】
ステップＳ１４において、角度制御部３７は、角度情報記憶部３５の記憶内容と、高度算出部３３で算出された太陽の高度に係る情報とに基づいて、第１および第２受光面１４，１６のそれぞれが他方の受光面からの太陽光の反射光を受ける部分に係る受光面積が所定値を超えており、かつ、最も受光面積が広くなる傾斜角度の情報を読み出す。
【００３４】
ステップＳ１５において、角度制御部３７は、ステップＳ１４で読み出した、最も受光面積が広くなる傾斜角度の情報に従って当該傾斜角度の制御を行う。
【００３５】
〔冬至時の太陽光発電装置１１の動作〕
次に、冬至時の太陽光発電装置１１の動作について、図３Ａおよび図３Ｂを参照して説明する。図３Ａおよび図３Ｂは、冬至時における本発明の実施形態に係る太陽光発電装置１１の動作説明に供する概念図である。
なお、以下では、太陽光発電装置１１の設置場所として長野県北部（北緯３６．５度／東経１３８度）を例示して説明を進める。本設置場所における冬至時の太陽の南中高度は、およそ３０度である。ただし、太陽の南中高度とは、真南にきたときの太陽の高さ（角度）を意味する。また、太陽光の入射角度と出射角度とは相互に等しいものとする。
【００３６】
図３Ａに示す例では、第１太陽電池パネル１３に対する第２太陽電池パネル１５の傾斜角度は、およそ１０５度である。図３Ａに示す例では、第２太陽電池パネル１５に照射された太陽光の反射光５１が、第１太陽電池パネル１３の略全面にわたって供給される。また、前記と同様に、第１太陽電池パネル１３に照射された太陽光の反射光５３が、第２太陽電池パネル１５の略全面にわたって供給される。要するに、第１および第２受光面１４，１６のそれぞれは、太陽光発電を行う際に、他方の受光面からの太陽光の反射光を受ける部分を共に有する。
【００３７】
図３Ｂに示す例では、第１太陽電池パネル１３に対する第２太陽電池パネル１５の傾斜角度は、およそ９０度である。図３Ｂに示す例では、第２太陽電池パネル１５に照射された太陽光の反射光５５が、第１太陽電池パネル１３の一部（略半面）にわたって供給される。また、第１太陽電池パネル１３に照射された太陽光の反射光５７が、第２太陽電池パネル１５の略全面にわたって供給される。要するに、第１および第２受光面１４，１６のそれぞれは、太陽光発電を行う際に、他方の受光面からの太陽光の反射光を受ける部分を共に有する。
【００３８】
〔春分・秋分時の太陽光発電装置１１の動作〕
次に、春分・秋分時の太陽光発電装置１１の動作について、図４Ａおよび図４Ｂを参照して説明する。図４Ａおよび図４Ｂは、春分・秋分時における本発明の実施形態に係る太陽光発電装置１１の動作説明に供する概念図である。太陽光発電装置１１の設置場所である長野県北部（北緯３６．５度／東経１３８度）における春分・秋分時の太陽の南中高度は、およそ５５度である。
【００３９】
図４Ａに示す例では、第１太陽電池パネル１３に対する第２太陽電池パネル１５の傾斜角度は、およそ１０５度である。図４Ａに示す例では、第２太陽電池パネル１５に照射された太陽光の反射光５９が、第１太陽電池パネル１３の略全面にわたって供給される。また、前記と同様に、第１太陽電池パネル１３に照射された太陽光の反射光６１が、第２太陽電池パネル１５の略全面にわたって供給される。要するに、第１および第２受光面１４，１６のそれぞれは、太陽光発電を行う際に、他方の受光面からの太陽光の反射光を受ける部分を共に有する。
【００４０】
次に、図４Ｂに示す例では、第１太陽電池パネル１３に対する第２太陽電池パネル１５の傾斜角度は、およそ９０度である。図３Ｂに示す例では、第２太陽電池パネル１５に照射された太陽光の反射光６３が、第１太陽電池パネル１３の略全面にわたって供給される。また、第１太陽電池パネル１３に照射された太陽光の反射光６５が、第２太陽電池パネル１５の一部（略２／３面程度）にわたって供給される。要するに、第１および第２受光面１４，１６のそれぞれは、太陽光発電を行う際に、他方の受光面からの太陽光の反射光を受ける部分を共に有する。
【００４１】
〔夏至時の太陽光発電装置１１の動作〕
次に、夏至時の太陽光発電装置１１の動作について、図５を参照して説明する。図５は、夏至時における本発明の実施形態に係る太陽光発電装置１１の動作説明に供する概念図である。太陽光発電装置１１の設置場所である長野県北部（北緯３６．５度／東経１３８度）における夏至時の太陽の南中高度は、およそ８０度である。
【００４２】
図５に示す例では、第１太陽電池パネル１３に対する第２太陽電池パネル１５の傾斜角度は、およそ７５度である。図５に示す例では、第２太陽電池パネル１５に照射された太陽光の反射光６７が、第１太陽電池パネル１３の略全面にわたって供給される。また、前記と同様に、第１太陽電池パネル１３に照射された太陽光の反射光６９が、第２太陽電池パネル１５の一部（略２／３面程度）にわたって供給される。要するに、第１および第２受光面１４，１６のそれぞれは、太陽光発電を行う際に、他方の受光面からの太陽光の反射光を受ける部分を共に有する。
【００４３】
〔本発明の実施形態に係る太陽光発電装置１１の作用効果〕
本発明の実施形態に係る太陽光発電装置１１では、略鉛直に配されて太陽光を受ける第１受光面１４を有する第１太陽電池パネル１３と、第１受光面１４と交わるように配されて太陽光を受ける第２受光面１６を有する第２太陽電池パネル１５と、第１受光面１４に対する第２受光面１６の傾斜角度を調整する角度調整機構部１７と、を備え、第１および第２受光面１４，１６のそれぞれは、太陽光発電を行う際に、他方の受光面からの太陽光の反射光を受ける部分を有する。
【００４４】
本発明の実施形態に係る太陽光発電装置１１によれば、第１および第２受光面１４，１６のそれぞれは、太陽光発電を行う際に、他方の受光面からの太陽光の反射光を受ける部分を有するため、第１および第２受光面１４，１６のそれぞれでは、太陽光の直接光による発電量に加えて、太陽光の反射光による発電量が付加的に生じる。したがって、本発明の実施形態に係る太陽光発電装置１１によれば、太陽光発電装置１１に係る構成部材の占有面積を考慮した発電効率を改善することができる。
【００４５】
また、本発明の実施形態に係る太陽光発電装置１１では、角度調整機構部１７による前記傾斜角度の制御を行う角度制御部３７をさらに備え、角度制御部３７は、第１および第２受光面１４，１６のそれぞれが他方の受光面からの太陽光の反射光を受ける部分に係る受光面積が広くなるように前記傾斜角度の制御を行う、構成を採用してもよい。
【００４６】
このように構成すれば、第１および第２受光面１４，１６のそれぞれにおいて付加的に生じる太陽光の反射光による発電量をより一層増加することができる。その結果、本発明の実施形態に係る太陽光発電装置１１によれば、太陽光発電装置１１に係る構成部材の占有面積を考慮した発電効率をより一層改善することができる。
【００４７】
また、本発明の実施形態に係る太陽光発電装置１１では、太陽の高度に係る情報に対応付けて、前記受光面積が広くなる前記傾斜角度の情報を記憶する角度情報記憶部３５をさらに備え、角度制御部３７は、角度情報記憶部３５の記憶内容と、太陽の高度に係る情報とに基づいて、前記受光面積が広くなる前記傾斜角度の情報を読み出して当該傾斜角度の制御を行う、構成を採用してもよい。
【００４８】
このように構成すれば、第１および第２受光面１４，１６のそれぞれにおいて付加的に生じる太陽光の反射光による発電量を精密に制御することができる。その結果、本発明の実施形態に係る太陽光発電装置１１によれば、太陽光発電装置１１に係る構成部材の占有面積を考慮した発電効率をより一層改善することに加えて、太陽光の反射光による発電量を的確に制御することができる。
【００４９】
〔太陽光発電システム７１の構成〕
次に、太陽光発電システム７１の構成について、図６を参照して説明する。図６は、本発明の実施形態に係る太陽光発電装置１１を横方向三列に並べてシステム化した太陽光発電システム７１の全体構成図である。
【００５０】
例えば図６に示すように、本発明の実施形態に係る太陽光発電装置１１を所要の数だけ横方向に並べてシステム化することにより、所要の規模の太陽光発電システム７１を構築することができる。
【００５１】
なお、太陽光発電システム７１を構築するに際し、図６に示すように、第２太陽電池パネル１５の下方には、空間が生じる。この空間に、例えばコントローラ１９などの周辺装置を収容することができる。このように構成すれば、空間を有効に活用した太陽光発電システム７１を構築することができる。
ただし、第２太陽電池パネル１５の下方に生じた空間を、例えばコントローラ１９などの周辺装置を収容する用途に用いることは、本発明の実施形態に係る太陽光発電装置１１にも同様に適用可能である。
【００５２】
［その他の実施形態］
以上説明した本発明の実施形態は、本発明の具現化例を示したものである。したがって、これらによって本発明の技術的範囲が限定的に解釈されることがあってはならない。本発明はその要旨またはその主要な特徴から逸脱することなく、様々な形態で実施することができるからである。
【００５３】
例えば、本発明の実施形態に係る説明において、第１および第２太陽電池パネル１３，１５のそれぞれは、６行６列の電池セル１４ａを整列配置して構成する例をあげて説明したが、本発明はこの例に限定されない。第１および第２太陽電池パネル１３，１５の両者またはいずれか一方は、所要の行列数の電池セル１４ａを任意に配置して構成してもよい。
【００５４】
また、本発明の実施形態に係る説明において、矩形形状の電池セル１４ａを例示して説明したが、本発明はこの例に限定されない。電池セル１４ａの形状としては、任意の形状を適宜採用することができる。
【００５５】
また、本発明の実施形態に係る説明において、伸縮機構２７ａ，２７ｂを、ピニオンギアとラックギアとの組み合わせにより構成する例をあげて説明したが、本発明はこの例に限定されない。伸縮機構２７ａ，２７ｂとしては、いかなる構成を採用してもよい。
【００５６】
また、本発明の実施形態では、太陽光発電装置１１の形状として、全体として椅子型となる形状を採用している。このように構成することにより、下記３つの作用効果を期待することができる。第１に、平板状の太陽光発電パネルと比べて剛性を向上することができる。そのため、構成部材の小型・軽量化を実現することができる。第２に、第２太陽電池パネル１５の傾斜角度を、鉛直方向に近づける（例えば、太陽光発電を行っていない時間帯に実行する。）構成を採用することにより、積雪対策とすることができる。第３に、複数の太陽光発電装置１１を輸送する際において、あたかも椅子を重ねるように、（必要に応じて適切な保護材を介在させて、）複数の太陽光発電装置１１を重ねた状態で輸送することができる。その結果、太陽光発電装置１１の輸送に係るコストを低減することができる。また、製品としての組み付け状態で輸送することができるため、設置現場における組み立てに係る工数を削減することもできる。
【００５７】
また、本発明に係る実施形態の説明において、第１および第２太陽電池パネル１３，１５のそれぞれとして、片面受光型の太陽電池パネルを採用する例をあげて説明したが、本発明はこの例に限定されない。第１および第２太陽電池パネル１３，１５の両者またはいずれか一方として、両面受光型の太陽電池パネルを採用してもよい。
【００５８】
最後に、本発明に係る実施形態の説明において、第１および第２太陽電池パネル１３，１５のそれぞれを反射板として用いる例をあげて説明したが、本発明はこの例に限定されない。第１および第２太陽電池パネル１３，１５に加えて、第１および第２太陽電池パネル１３，１５の枠部分をも反射板として用いる構成を採用してもよい。
【符号の説明】
【００５９】
１１    太陽光発電装置
１３    第１太陽電池パネル
１４    第１受光面
１５    第２太陽電池パネル
１６    第２受光面
１７    角度調整機構部
１９    コントローラ
３５    角度情報記憶部
３７    角度制御部
【図１Ａ】
2013243225.tif 000003
【図１Ｂ】
2013243225.tif 000004
【図１Ｃ】
2013243225.tif 000005
【図１Ｄ】
2013243225.tif 000006
【図１Ｅ】
2013243225.tif 000007
【図２】
2013243225.tif 000008
【図３Ａ】
2013243225.tif 000009
【図３Ｂ】
2013243225.tif 000010
【図４Ａ】
2013243225.tif 000011
【図４Ｂ】
2013243225.tif 000012
【図５】
2013243225.tif 000013
【図６】
2013243225.tif 000014